(57)【要約】【課題】既存の島設備を利用しつつ、パチンコ遊技機を遊技島に設置するに際し、遊技機を容易に所望の傾斜角度に配置することができ、遊技機に衝撃が加わったとしても傾斜角度が変化し難いパチンコ遊技機の設置機構を提供する。【解決手段】パチンコ遊技機２の外縁に形成された機枠１１の上面と下面とに孔２０，２２がそれぞれ穿設され、機枠１１の上面に、孔２０に嵌入する凸部２５を備えた上部スペーサ２４を配置し、機枠１１の下面に、孔２２に嵌入する凸部２７を備えた下部スペーサ２６を配置し、これらスペーサ２４，２６の機枠１１に当接する第１の面２４ａ，２６ａと島枠４，５に当接する第２の面２４ｂ、２６ｂとが所定角度をなすように構成しておくことにより、パチンコ遊技機２を遊技島３の上側島枠４と下側島枠５との間に設置する際に、上下島枠４，５に対して容易に所定角度傾斜させることができる。【選択図】図３
2008188152.tif 000002
【特許請求の範囲】
【請求項１】
遊技機を遊技島の島枠に設置する際に、前記遊技機を前記島枠に対して所定角度傾斜させるためのスペーサであって、
前記遊技機の外縁に形成された機枠の上面と下面との少なくとも一方に配置され、前記機枠に当接する第１の面と前記島枠に当接する第２の面とが、前記所定角度をなすことを特徴とするスペーサ。
【請求項２】
前記第１の面には、前記機枠の凹部に嵌入する凸部が形成されたことを特徴とする請求項１に記載のスペーサ。
【請求項３】
遊技機を遊技島の島枠に設置する際に、前記遊技機を前記島枠に対して所定角度傾斜させるための機枠ユニットであって、
前記遊技機の外縁に形成された機枠と、
前記機枠の上面と下面との少なくとも一方に配置され、前記機枠に当接する第１の面と前記島枠に当接する第２の面とが、前記所定角度をなすスペーサと
を有することを特徴とする機枠ユニット。
【請求項４】
前記機枠の上面と下面との少なくとも一方に凹部が形成され、
前記スペーサの前記第１の面には、前記凹部に嵌入する凸部が形成されたことを特徴とする請求項３に記載の機枠ユニット。
【請求項５】
前記機枠の上部横板と下部横板との少なくとも一方には、前記遊技機を前記島枠に締結するための締結部材が嵌入する挿通孔が形成されたことを特徴とする請求項３に記載の機枠ユニット。
【請求項６】
前記機枠の上部横板と下部横板との少なくとも一方には、前記遊技機を前記島枠に締結するための締結部材が嵌入するスリットが形成されたことを特徴とする請求項３に記載の機枠ユニット。
【発明の詳細な説明】
【技術分野】
【０００１】
本発明は、遊技機を設置する際に遊技機を所定角度傾斜させるためのスペーサと、このスペーサを含む機枠ユニットとに関する。
【背景技術】
【０００２】
一般に、パチンコ遊技機は、遊技球が前面のガラスに衝突することによる騒音や、ガラスの破損を防止するため、後方に傾けた状態で遊技島に設置されている。また、パチンコ遊技機を傾ける角度によって遊技球の入賞口への入賞率が変化するため、パチンコ遊技機の機種によってそれぞれ傾斜角度が設定されている。従来、この種のパチンコ遊技機を所定の設定角度に傾斜させて遊技島に据え付ける場合には、遊技島を構成する上下の島枠間にパチンコ遊技機の機枠を配置し、機枠上部から垂らした分銅に対して所定距離だけ機枠下部を前方に出した状態で、機枠の上下をそれぞれ島枠に釘で打ち付けることにより固定していた。
【０００３】
しかし、設置角度の誤差によって遊技球の動きは微妙に変化するので、パチンコ遊技機の設置には永年の経験と熟練とが必要である上、熟練者であっても設置には相当の時間を要していた。また、パチンコ遊技機を設置した後に傾斜角度が不適当であると判明した場合、機枠に打ち付けた釘を引き抜き、傾斜角度を修正した後に再び釘を打ち付けなければならなかった。このような事態が生じると、釘を引き抜く作業が煩雑であるばかりでなく、遊技島の島枠やパチンコ遊技機の機枠が損傷（釘穴が残る等）するという問題もあり、中古品としても流通するパチンコ遊技機にとって、繰り返し設置しても傷のつかないような構造が求められていた。
【０００４】
このような不具合を解消することを目的として、遊技島の上下の島枠間に予め設置され、パチンコ遊技機を固定する取付枠において、取付枠の上辺部材と下辺部材とをパチンコ遊技機の上下の位置決めにそれぞれ利用し、左右の両側辺部材をパチンコ遊技機の設定角度に傾斜させたことにより、パチンコ遊技機の機枠を容易に設定角度に設置できるようにしたパチンコ遊技機取付枠が提案されている（特許文献１参照）。
【０００５】
また、遊技島の上下の島枠に一対の挟着部材を取り付け、これら挟着部材で機枠の上部横板と下部横板とをそれぞれ挟着することで機枠を固定し、下部挟着部材を前後方向にスライド可能な構造とするとともに上部挟着部材を上下方向にスライド可能な構造をすることにより、パチンコ遊技機の傾斜角度を容易に調整できるようにしたパチンコ設備ユニットが提案されている。
【特許文献１】実公平７−１９５０６号公報
【特許文献２】特開平９−１０８４２６号公報
【発明の開示】
【発明が解決しようとする課題】
【０００６】
しかしながら、特許文献１に記載のパチンコ遊技機取付枠では、設定角度が同じ機種のパチンコ遊技機に入れ替える場合には、機枠を容易に設定角度に設置することができるが、設定角度が異なる機種のパチンコ遊技機に入れ替えする場合、一旦取付枠を取り外して新たな設定角度に設置しなければならず、取付枠自体の設置に時間を要することになってしまう。
【０００７】
また、特許文献１に記載のパチンコ設備ユニットでは、遊技島の上下の島枠を、当該ユニット専用の挟着部材が取り付けられたものに変更する必要があるため、既存の島設備をそのまま使用することができない。また、パチンコ遊技機前面のガラス枠の開閉に伴い、スライド可能に取り付けられた下部挟着部材が前後方向に移動することや、これに伴って上部挟着部材も上下方向に移動する等の虞がある。更に、このように挟着部材が移動してしまうと、調整したパチンコ遊技機の傾斜角度が変化してしまうだけでなく、挟着部材による機枠の固定が確実に行われなくなり、がたつきが生じる等の問題もあった。
【０００８】
本発明は、このような背景に鑑みなされたもので、既存の島設備を利用しつつ、パチンコ遊技機を容易に所望の傾斜角度で遊技島に設置配置することができるパチンコ遊技機の設置機構を提供することを目的とする。
【課題を解決するための手段】
【０００９】
上記課題を解決するために、請求項１の発明は、遊技機を遊技島の島枠に設置する際に、前記遊技機を前記島枠に対して所定角度傾斜させるためのスペーサであって、前記遊技機の外縁に形成された機枠の上面と下面との少なくとも一方に配置され、前記機枠に当接する第１の面と前記島枠に当接する第２の面とが、前記所定角度をなす構成とする。
【００１０】
また、請求項２の発明は、請求項１に記載されたスペーサにおいて、前記第１の面には、前記機枠の凹部に嵌入する凸部が形成された構成とする。
【００１１】
また、請求項３の発明は、遊技機を遊技島の島枠に設置する際に、前記遊技機を前記島枠に対して所定角度傾斜させるための機枠ユニットであって、前記遊技機の外縁に形成された機枠と、前記機枠の上面と下面との少なくとも一方に配置され、前記機枠に当接する第１の面と前記島枠に当接する第２の面とが、前記所定角度をなすスペーサとを有する構成とする。
【００１２】
また、請求項４の発明は、請求項３に記載された機枠ユニットにおいて、前記機枠の上面と下面との少なくとも一方に凹部が形成され、前記スペーサの前記第１の面には、前記凹部に嵌入する凸部が形成された構成とする。
【００１３】
また、請求項５の発明は、請求項３に記載された機枠ユニットにおいて、前記機枠の上部横板と下部横板との少なくとも一方には、前記遊技機を前記島枠に締結するための締結部材が嵌入する挿通孔が形成された構成とする。
【００１４】
また、請求項６の発明は、請求項３に記載された機枠ユニットにおいて、前記機枠の上部横板と下部横板との少なくとも一方には、前記遊技機を前記島枠に締結するための締結部材が嵌入するスリットが形成された構成とする。
【発明の効果】
【００１５】
請求項１の発明によれば、既存の島設備をそのまま使用しながら、遊技機を遊技島に設置する際に、遊技機を容易に所望の傾斜角度に配置することができる。また、従来と同様に釘等で遊技機を島枠に確実に固定すれば、遊技機に衝撃が加わったとしても遊技機が容易に移動したりがたついたりしないため、パチンコ遊技機の傾斜角度が一定に保たれる。また、設定角度が異なる機種のパチンコ遊技機に入れ替える場合であっても、２面のなす角度が異なる複数のスペーサを用意しておくことで対応可能である。また、請求項２の発明によれば、凸部が凹部に嵌入されることで、遊技機設置時における釘打ち等の衝撃によるスペーサの移動や、遊技者のいたずらによるスペーサの移動を防止することができる。また、請求項３および請求項４の発明によれば、請求項１および請求項２の効果と同様の効果が発揮される機枠ユニットが得られる。更に、請求項５の発明によれば、遊技機を島枠に設置する際に機枠に傷をつけることなく固定できる他、挿通孔を締結個所数より多く形成しておけば、島枠側の古い釘穴等のある不適切な位置を避けて適切な締結部材嵌入位置を選択することができる。これにより、機枠がより確実に島枠に固定される他、締結作業のやり直しを防止することができる。また、請求項６の発明によれば、複数の挿通孔を形成するのに比べて締結部材嵌入位置の選択性が増すとともに、１工程でスリットを形成できるので加工も容易である。
【発明を実施するための最良の形態】
【００１６】
以下、本発明の実施の形態を、図面を参照しながら説明する。
≪実施形態の構成≫
図１は実施形態に係るパチンコ遊技設備を一部破断して示す分解斜視図である。図１に示すように、パチンコ遊技設備１は、複数のパチンコ遊技機２と、これらパチンコ遊技機２を設置するための遊技島３とから構成されている。遊技島３には、それぞれの端部が縦材７に固定された上側島枠４と下側島枠５とが水平に並設されている。これら上下島枠４，５間の所定位置には、球貸機を設置するための複数のケース６が配置されている。本実施形態では、パチンコ遊技機毎にケース６が配置されているが、２基のパチンコ遊技機に対して１つのケース６が配置される場合もある。
【００１７】
パチンコ遊技機２は、縦に長い長方形の機枠１２と、機枠１２の内側に嵌めこまれた遊技機本体１０とから構成される。機枠１２は、いずれも木製の上部横板１３、下部横板１４、右部縦板１５、左部縦板１６、下部前面板１７等から構成され、補強金具により各接続部が互いに直角となるように接合定されている。また、機枠１２の左上端と左下部には、機盤取付金具１８，１９がねじで取り付けられており、遊技機本体１０がこれら機盤取付金具１８，１９によって機枠１２に対して開閉自在に支持されている。機枠１２の縦寸法は、上下島枠４，５の間隔よりも若干短く、機枠１２の横寸法は、遊技島３の縦材７とケース６との間隔あるいは２つのケース６，６の間隔よりも若干短くされている。
【００１８】
パチンコ遊技機２の遊技島３への設置は、まず、上記した遊技機本体１０が嵌め込まれる機枠１２を上側島枠４と下側島枠５との間に配置し、機枠１２を上下島枠４，５に対して所定の設置角度θ（本実施形態では、２．６°）傾斜させ（図３参照）、上部横板１３を上側島枠４に、下部横板１４を下側島枠５にそれぞれ固定し、そして、機枠１２に遊技機本体１０を嵌め込むことによって行われる。
【００１９】
図２は実施形態に係る機枠ユニット１１を背面左側上方から見た斜視図である。機枠ユニット１１は、機枠１２と、２つの上部スペーサ２４，２４と、２つの下部スペーサ２６，２６とから構成されている。上部横板１３には、その長辺が上部横板１３の短辺に平行な長方形をした２つの孔２０，２０（凹部）が穿設されており、孔２０，２０の背面側には上部横板１３の長辺に平行なスリット２１が形成されている。一方、下部横板１４には、その一辺が下部横板１４の長辺に平行な正方形をした２つの孔２２，２２（凹部）が穿設されており、孔２２，２２の正面側には下部横板１４の長辺に平行なスリット２３が形成されている。
【００２０】
２つの上部スペーサ２４，２４は、上部横板１３の上面に配置され、上部横板１３に当接する第１の面２４ａと、これに対向し上側島枠４に当接する第２の面２４ｂとが所定角度θ（本実施形態では、２．６°）をなしており、第１の面２４ｂには、孔２０に嵌入する立方体状の凸部２５が形成されている。一方、２つの下部スペーサ２６，２６は、下部横板１４の下面に配置され、下部横板１４に当接する第１の面２６ａと、これに対向し下側島枠５に当接する第２の面２６ｂとが所定角度θ（本実施形態では、２．６°）をなしており、第１の面２６ａには、孔２２に嵌入する立方体状の凸部２７が形成されている。
【００２１】
図３は遊技島３に設置された実施形態に係る機枠ユニット１１の縦断面図であり、図４は図３中のIV部拡大図であり、図５は図３中のＶ部拡大図である。図３〜図５に示すように、平行配置された上側島枠４と下側島枠５とは所定の間隔をもって互いに平行且つ水平に配置されており、上下島枠４，５の機枠ユニット１１に対向する面、つまり上側島枠４の下面と下側島枠５の上面とは図面左右方向についても水平にされている。これら上側島枠４と下側島枠５との間に機枠ユニット１１が設置される。パチンコ遊技機は後方に傾斜させて設置されるのが通常であるため、上下島枠４，５の前面（図面左側）は、パチンコ遊技機と面一となるように一般的なパチンコ遊技機の傾斜角度に合わせて上側が数ｃｍ後方（図面右側）に引込んだ状態となっている。
【００２２】
図４に示すように、上部スペーサ２４は、凸部２５が孔２０に嵌入された状態で上側島枠４と上部横板１３との間に介装される。凸部２５が立方体であるのに対し、孔２０は長方形に穿設されているので、凸部２５と上部横板１３との間には空隙３０が存在している。上部スペーサ２４は楔形を呈しているため、上側島枠４と上部横板１３とに接するまでの範囲で前後方向（図面左右方向）に移動可能となっている。上部スペーサ２４が上側島枠４と上部横板１３とに接した状態で、ワッシャー２９に嵌挿されたねじ２８（締結部材）がスリット２１の適切な位置にねじ込まれ、上部横板１３が上側島枠４に固定される。
【００２３】
一方、図５に示すように、下部スペーサ２６は、凸部２７が孔２２に嵌入された状態で下側島枠５と下部横板１４との間に介装される。凸部２５と孔２０は寸法が等しい立方体形状であるので、凸部２７と下部横板１４との間に空隙はない。下部スペーサ２６が下側島枠５と下部横板１４とに接した状態で、ワッシャー２９に嵌挿されたねじ２８がスリット２３の適切な位置にねじ込まれることで、下部横板１４が下側島枠５に固定される。
【００２４】
≪実施形態の作用効果≫
パチンコ遊技機２を遊技島３に設置するに際し、下部スペーサ２６を下部横板１４と下側島枠５との間に配置することにより、機枠１２を容易に島枠４，５に対して所望の傾斜角度に配置することが可能となっている。そして上部スペーサ２４を上部横板１３と上側島枠４との間に配置することにより、機枠ユニット１１が上下島枠４，５に当接している。したがって、機枠１２がねじ２８およびワッシャー２９で島枠４，５に確実に固定され、ガラス枠の開閉等の衝撃がパチンコ遊技機２に加わったとしても、パチンコ遊技機２が移動したりがたついたりすることがなく、傾斜角度も一定に保たれる。
【００２５】
また、下部スペーサ２６には凸部２７が形成され、凸部２７が下部横板１４の孔２２に遊びがない状態で嵌入されているので、遊技機設置時におけるねじ締め付け作業等の振動や衝撃によるスペーサ２４の移動や、遊技機設置後の遊技者のいたずらによる下部スペーサ２６の移動が防止されている。一方、上部スペーサ２４に凸部２５が形成され、凸部２５が上部横板１３の孔２０に移動可能に嵌入されているので、上側島枠４と下側島枠５との間隔が多少大きくても、上部スペーサを楔として機能させ、パチンコ遊技機２を島枠４，５に確実に当接させることや、パチンコ遊技機２を島枠４，５に仮止めすることが可能である。また、下側島枠５が水平でない場合や、設定角度が異なる機種のパチンコ遊技機に入れ替える場合であっても、２面のなす角度が異なる複数のスペーサを用意しておくことで対応可能である。
【００２６】
更に、上部横板１３と下部横板１４とにそれぞれスリット２１，２３が形成されていることにより、パチンコ遊技機２を島枠４，５に組み付ける際、機枠１２に傷をつけることなくパチンコ遊技機２が固定される。またこれにより、ねじ締め付け前に、島枠４，５側の古い釘穴等のある位置を避け、適切なねじ嵌入位置を見つけ出すことが可能となる。また、機枠ユニット１１あるいはスペーサ２４，２５は、島枠４，５に加工を施したり特別な装置を設置したりする必要がないため、既存の遊技島３にそのまま適用することができ、スペーサを製作し、機枠１２に簡単な加工を加えるだけで上記効果が得られるので、実用にも適している。
【００２７】
≪変形実施形態≫
次に変形実施形態について図６を参照しながら説明する。なお、上記実施形態と同一の部材については同一の符号を用いている。図６は変形実施形態に係る機枠の平面図である。機枠４２の上部横板４３は、一端に図示外の遊技機本体１０を開閉自在に支持する機盤取付金具１８が取り付けられており、上面には図示外の２つの上部スペーサ２４，２４の凸部２５，２５が嵌入する２つの長方形の孔５０、５０が穿設されている。また、孔５０，５０の前面側（下部前面板１７側）には、上記実施形態のスリット２１の代わりに、２つのねじ挿通孔５３，５３が穿設されている。ねじ挿通孔５３，５３が上部横板４３に穿設されているため、機枠４２を遊技島３に設置する際に、上下島枠４，５のねじ挿入位置に古い釘穴等があるか否かをねじ締めする前に把握することができる。例え古い釘穴等があった場合であっても、機枠４２は下部スペーサ２６と上部スペーサ２４とによって容易に設定角度に配置可能であるため、機枠４３の位置をずらすことも困難ではない。なお、本変形実施形態であっても、ねじ２８はワッシャー２９と共に用いるのが望ましい。
【００２８】
以上で具体的実施形態についての説明を終えるが、本発明は上記各実施形態に限定されるものではない。例えば、上記実施形態はパチンコ遊技機に適用したものであるが、パチスロ遊技機等、他の遊技機にも当然に適用可能である。上記実施形態では、スペーサが機枠の上下両面に配置されているが、下面だけに配置されるような形態としてもよい。また、機枠の上面または下面に設けられる凹部は、横板を貫通したものである必要はなく、更には、横板の長辺に設けられた切欠きであってもよい。この場合、スペーサが島枠と機枠との間から抜けないように、切欠きはスペーサの薄い方の辺に対応する長辺に設けるようにするとよい。また、上記実施形態では上下ともに２つのスペーサが配置されているが、３つ以上のスペーサや１つの大きなスペーサを用いた形態、締結部材としてねじではなく釘を用いた形態等にしてもよい。更に、上記変形実施形態では上下それぞれ２本のねじを使用し、ねじ挿通孔も上下に各２箇所穿設されているが、ねじ本数よりも多いねじ挿通孔が穿設されてもよい。これにより、島枠に釘穴がついている場合等に、機枠をずらさずにこのような不適切な位置を避けてねじ締めすることが可能となる。また、これら変更の他、本発明の趣旨を逸脱しない範囲であれば適宜変更可能である。
【図面の簡単な説明】
【００２９】
【図１】実施形態に係るパチンコ遊技設備を一部破断して示す分解斜視図
【図２】背面左側上方から見た実施形態に係る機枠ユニットの斜視図
【図３】遊技島に設置された実施形態に係る機枠ユニットの縦断面図
【図４】図３中のIV部拡大図
【図５】図３中のＶ部拡大図
【図６】変形実施形態に係る機枠の平面図
【符号の説明】
【００３０】
１      パチンコ遊技設備
２      パチンコ遊技機
３      遊技島
４      上側島枠
５      下側島枠
１０    遊技機本体
１１    機枠ユニット
１２，４２    機枠
１３，４３    上部横板
１４    下部横板
２０，２２，５０  孔（凹部）
２１，２３  スリット
２４    上部スペーサ
２４ａ  第１の面
２４ｂ  第２の面
２５    凸部
２６    下部スペーサ
２６ａ  第１の面
２６ｂ  第２の面
２７    凸部
２８    ねじ（締結部材）
θ      所定角度
【図１】
2008188152.tif 000003
【図２】
2008188152.tif 000004
【図３】
2008188152.tif 000005
【図４】
2008188152.tif 000006
【図５】
2008188152.tif 000007
【図６】
2008188152.tif 000008